(57)【要約】広告主のコマーシャルを放送事業者が提供する番組に挿入して提示する情報提示システム（１０）において、放送事業者による番組が開始する以前の事前期間において、広告主からの入札金額を取得する入札処理部（３２）と、事前期間経過後に、上記データ提示条件取得手段により取得された入札金額から予め設定された基準に基づいて落札者を決定する制御部（３５）と、この制御部（３５）により決定された落札者に対応する通知データを放送事業者に対し通知する通知部（３４）とを備えている。
2002059811.tif 000002
【特許請求の範囲】
【請求項１】
データ提示依頼者の提示用データをサービス提供者が提供する提供用データに挿入して提示する情報提示システムにおいて、
上記サービス提供者による提供用データの提供期間が開始する以前の事前期間において、上記データ提示依頼者からのデータ提示条件を取得するデータ提示条件取得手段と、
上記事前期間経過後に、上記データ提示条件取得手段により取得されたデータ提示条件から予め設定された基準に基づいてデータ提示条件を決定するデータ提示条件決定手段と、
このデータ提示条件決定手段により決定されたデータ提示条件に対応する通知データを上記サービス提供者に対し通知する通知手段とを備えていることを特徴とする情報提示システム。
【請求項２】
上記データ提示条件は、上記データ提示依頼者が上記サービス提供者に支払う入札金額であり、
上記データ提示条件取得手段は、上記入札金額を取得する入札金額取得手段を備えていることを特徴とする請求項１に記載の情報提示システム。
【請求項３】
上記データ提示条件決定手段は、上記入札金額のうち最高額のものに対応するデータ提示条件を決定するものであることを特徴とする請求項２に記載の情報提示システム。
【請求項４】
上記データ提示条件決定手段は、上記入札者のうち入札金額、並びに、過去の入札実績といった入札に関する諸条件を総合的に判断してデータ提示条件を決定することを特徴とする請求項２に記載の情報提示システム。
【請求項５】
上記通知手段は、上記データ提示条件決定手段によりデータ提示条件が決定されない場合に、その旨を含む通知データを通知することを特徴とする請求項１に記載の情報提示システム。
【請求項６】
上記サービス提供者は、上記通知データが通知された場合には、上記提供用データに上記提示用データを挿入しない、または、予め定められた提示用データを挿入するものであることを特徴とする請求項５に記載の情報提示システム。
【請求項７】
上記提示用データ及び上記提供用データはそれぞれ画像及び文字等により構成される２次元データであり、
上記サービス提供者は、上記提示用データの画像と上記提供用データの画像とを重畳して提供するものであることを特徴とする請求項１に記載の情報提示システム。
【請求項８】
上記提示用データは少なくとも画像を含むデータであり、
上記提供用データの提供期間は、複数の区間に分割されており、これら複数の区間相互間に上記提示用データが挿入されるものであることを特徴とする請求項１に記載の情報提示システム。
【請求項９】
データ提示依頼者の提示用データをサービス提供者が提供する提供用データに挿入して提示する情報提示方法において、
上記サービス提供者による提供用データの提供期間が開始する以前の事前期間において、上記データ提示依頼者からのデータ提示条件を取得するデータ提示条件取得ステップと、
上記事前期間経過後に、上記データ提示条件取得ステップにより取得されたデータ提示条件から予め設定された基準に基づいてデータ提示条件を決定するデータ提示条件決定ステップと、
このデータ提示条件決定ステップにより決定されたデータ提示条件に対応する通知データを上記サービス提供者に対し通知する通知ステップとを備えていることを特徴とする情報提示方法。
【請求項１０】
データ提示依頼者の提示用データをサービス提供者が提供する提供用データに挿入して提示する情報提示システムにおいて、
上記データ提示依頼者によるデータ提示条件を送信するデータ提示条件送信手段と、
上記サービス提供者による提供用データの提供期間が開始する以前の事前期間において、上記データ提示依頼者からのデータ提示条件を取得するデータ提示条件取得手段と、
上記事前期間経過後に、上記データ提示条件取得手段により取得されたデータ提示条件から予め設定された基準に基づいてデータ提示条件を決定するデータ提示条件決定手段と、
このデータ提示条件決定手段により決定されたデータ提示条件に対応する通知データを通知する通知手段と、
この通知手段からの通知データに基づいて上記提示用データを上記提供用データに挿入して提供する提供手段とを備えていることを特徴とする情報提示システム。
【発明の詳細な説明】
技術分野
本発明は、放送番組等に挿入されるコマーシャルの広告料金を広告主の入札に応じて定める情報提示システム及び情報提示方法に関する。
背景技術
テレビジョン放送における放送番組の提供は、放送番組の間に流されるコマーシャルの広告主によって行われており、放送局等の放送事業者の収入は広告主が支払う広告料金が主となる。このようなコマーシャルの広告料金は、放送時間帯や過去の視聴率を参考にした所定の基準に基づいて放送局と広告主との合意の下で設定されるのが一般的である。
しかしながら、次のような理由から一律な基準で広告料金を定めるのが不合理な場合もある。すなわち、スポーツ中継等ではその展開次第で大きく視聴率が変動することから、視聴率が予想よりも低い場合には、広告主は広告料金に見合う宣伝効果が得られない一方、視聴率が予想よりも高くなり、宣伝効果が非常に高くなる場合も有り得る。
また、突発的な事件・事故が発生すると、報道番組等は早朝・深夜にも係わらず視聴率が高くなる場合があり、放送局にとっては高い広告料金を得る機会を失う虞があった。このように視聴率に変動的な要素があるにも係わらず一律の基準で広告料金が定められているという不都合があった。
一方、デジタル方式にて録画を行うことができるデジタル録画機器が普及している。このため、視聴者がデジタル録画機器で録画した放送番組を視聴する場合、番組のランダムアクセスが可能となり、コマーシャルを一瞬にしてスキップすることができる。すなわち、視聴者はコマーシャルを全く見ることなく放送番組を視聴することが可能となり、コマーシャルによる宣伝効果が得られなくなるという問題が発生する。このため、広告主による放送番組等の提供が消極的となり、放送局等の収入が減少するという問題が有る。
なお、上述したようなコマーシャルの広告料金及びコマーシャルのスキップの問題はテレビジョン放送に限られず、インターネット放送においても同様に発生することが考えられる。
そこで本発明は、放送番組等に付随するコマーシャルの広告料金を適正に定めることができ、またコマーシャルの宣伝効果を維持することができる情報提示システム及び情報提示方法を提供することを目的とする。
発明の開示
本発明は、データ提示依頼者の提示用データをサービス提供者が提供する提供用データに挿入して提示する情報提示システムにおいて、上記サービス提供者による提供用データの提供期間が開始する以前の事前期間において、上記データ提示依頼者からのデータ提示条件を取得するデータ提示条件取得手段と、上記事前期間経過後に、上記データ提示条件取得手段により取得されたデータ提示条件から予め設定された基準に基づいてデータ提示条件を決定するデータ提示条件決定手段と、このデータ提示条件決定手段により決定されたデータ提示条件に対応する通知データを上記サービス提供者に対し通知する通知手段とを備えていることを特徴としている。
この結果、本発明によれば、放送番組等に付随するコマーシャルの広告料金を適正に定めることができ、またコマーシャルの宣伝効果を維持することが可能となる。
発明を実施するための最良の形態
以下、本発明の実施形態を図面に従い説明する。情報提示システム１０は、広告主（データ提示依頼者）のコマーシャルデータ（提示用データ）をテレビジョン放送事業者（サービス提供者）が提供する番組（提供用データ）に挿入して提示するシステムである。情報提示システム１０は、図１に示すように、インターネット等の通信回線２０と、この通信回線２０に接続された管理サーバ３０と、通信回線２０に接続された広告主サーバ４０〜４２と、通信回線２０に接続された視聴率調査システム５０と、通信回線２０に接続された放送システム６０に接続されている。放送システム６０は、さらに通信・放送網７０を介して各視聴者のテレビジョン受信機８０〜８５に接続されている。
管理サーバ３０は、データ選定業者により運営されるものであり、データの入出力を行う入出力制御部３１と、各広告主から送信された入札データを受け付ける入札処理部３２と、番組予定や視聴率等の各データを記憶する記憶部３３と、入札の結果を通知する通知部３４と、これらを所定のプログラムにしたがって連携制御する制御部３５とを備えている。管理サーバ３０は、広告主サーバ４０〜４２へ放送番組に関する情報や視聴率情報等の各種データを送信するとともに、広告主サーバ４０〜４２の入札金額等の各種データを受信し、放送番組に挿入するコマーシャルの決定等を行う機能を有している。
広告主サーバ４０〜４２は各種商品の販売やサービス等を行う広告主により運営されるものであり、モニタ及びキーボード等の入力デバイス及び販売システムが設けられている。広告主サーバ４０〜４２では、管理サーバ３０から送られてくるデータに基づいて、入札金額等の入力を行う機能と、視聴者から注文データを受信して商品の販売を行う機能とを有している。
視聴率調査システム５０は視聴率調査会社により運営されるものであり、各テレビジョン受信機等に取り付けられた視聴率調査装置等を用いて視聴率を集計するとともに、そのデータを管理サーバ３０に送信する機能を有している。
放送システム６０はテレビジョン放送事業者により運営されるものであり、所定の時刻に放送番組及びコマーシャルを送信するとともに、コマーシャルデータが記憶されている。放送システム６０では、番組スケジュールに沿って番組を放送するとともに管理サーバ３０から送られてくる通知データに基づいてコマーシャルの挿入を行う機能を有している。
通信・放送網７０は、例えば、地上波、衛星波による放送網、ケーブルテレビ、双方向通信網等であり、放送システム６０からテレビジョン受信機８０〜８５側へ放送データを搬送するとともに、テレビジョン受信機８０〜８５から放送システム６０側へ注文データを搬送する機能を有している。
テレビジョン受信機８０〜８５は、リモートコントローラや、タッチパネルやキーボード等の入力デバイスを備え、通信・放送網７０を介して放送システム６０に注文データを送信する機能を有している。
このように構成された情報提示システム１０では、次のようにして所定の番組にコマーシャルの挿入を行う。なお、番組は複数の番組区間（番組スロット）Ｓ１〜Ｓｎから構成されており、番組区間Ｓ１〜ＳｎにそれぞれコマーシャルＣ１〜Ｃｎが挿入されることとする。
予め管理サーバ３０では、放送番組予定スケジュールや過去の視聴率情報等の放送基礎データを通信回線２０を介して広告主サーバ４０〜４２に配信する。また、最新の視聴率情報については管理サーバ３０が視聴率調査システム５０から得た最新の視聴率情報を逐次広告主サーバ４０〜４２に送信する。一方、広告主は広告主サーバ４０〜４２又はその他の方法を用いて、コマーシャルデータを放送システム６０に予め送信し、放送システム６０ではコマーシャルデータを記憶部に蓄積する。なお、コマーシャルデータは予め時間、内容等がチェックされており、コマーシャルとしての一定の基準が満たされているものとする。
次に、情報システムの動作の例について図２及び図３を用いて説明する。番組の放送時間が近付くと、所定の事前区間Ｓ０が設定され、図２に示すように入札が開始される（ＳＴ１）。管理サーバ３０では、最初に番組区間Ｓ１の入札を行うために、初期値１が設定される（ＳＴ２）。広告主は放送基礎データ及び視聴率に基づいて入札金額を決定し、広告主サーバ４０〜４２を介して入札金額を管理サーバ３０に送信する。
管理サーバ３０では、広告主サーバ４０〜４２からの入札金額を受け付け（ＳＴ３）、番組区間Ｓ１の予備時間Ｐ１前に達した時点で受付を終了し（ＳＴ４）、最も高い金額を入札した広告主を落札候補として選定する（ＳＴ５）。なお、過去の入札実績といった入札に関する諸条件を総合的に判断して入札係数を算出し、この入札係数を入札金額に掛け合わせることで入札金額を修正し、この金額を入札金額としてもよい。
次に、落札候補の広告主のコマーシャルデータ等から予め放送システム６０が定めた条件をクリアしているか否かを判断する（ＳＴ６）。条件としては、例えば、最低入札金額を超えている、番組内容に相応しいものである、連続して同一の広告主が決定されていないこと等である。条件をクリアしていない場合には、その旨が落札候補の広告主に通知されるとともに、予め設定したコマーシャルデータ等が利用される（ＳＴ７）。この他、コマーシャルデータが挿入されないようにしてもよい。
次に、決定された広告主を通知データとして放送システム６０に通知し（ＳＴ８）、番組区間が全て終了したか否かを判断する（ＳＴ９）。終了していない場合には、ｉを１つ増やし（ＳＴ１０）、ＳＴ２に戻る。
なお、放送システム６０では、通知データ中の広告主に対応するコマーシャルデータを記憶部から呼び出し、番組区間Ｓ１に設定された番組内容にコマーシャルＣ１を重畳して放送を行う。図４Ａ及び図４Ｂはテレビジョン受信機８０〜８５に表示される具体的な例を示す図である。
この他、メインストリーム中の一部、例えば下の隅や、画面の左右（４：３映像を１６：９のモニタで用いる場合の余白部分を利用）にコマーシャルデータを挿入する。なお、コマーシャルデータを適当なタイミングで全画面に表示するようにしてもよい。
同様にして、番組区間Ｓｎに達するまで、入札を繰り返し行い、全ての区間が終了した時点で終了する（ＳＴ１１）。
一方、視聴者はテレビジョン受信機８０〜８５に表示されたコマーシャルデータＣ１，Ｃ２をクリックする等して選択することで、広告主サーバ４０〜４２に注文データを送信することが可能である。なお、広告主サーバ４０〜４２では、注文データに基づいて視聴者に商品の発送等を行う。
なお、図２及び図３Ａにおいては、１つの番組区間の入札が終了するまで次の番組区間の入札ができないが、図３Ｂに示すように、全ての番組区間Ｓ１〜Ｓｎの入札受付を同時に開始するようにしてもよい。
上述したように情報提示システム１０によれば、番組内容に応じて、広告料金を入札して決めることができるので、スポーツ中継等のように展開に応じて視聴率が大幅に変動する場合や、突発的な事件が発生して視聴率が高くなるような場合の深夜・早朝の報道番組等においても、広告主の入札により広告料金を定めることができる。したがって、放送事業者の収入を増大させることができるとともに、広告主も宣伝効果に応じて広告を打つことが可能となる。
また、番組にコマーシャルデータが重畳して表示されているので、デジタル録画機器を用いた場合であっても、コマーシャルが視聴者の目に触れないという状態を避けることが可能となる。
図５Ａ〜図５Ｃは情報提示システム１０をインターネットによる情報提示に適用した場合を示す図である。図５Ａは、ＳＭＩＬなどのシーン記述言語を用いディスプレイ上で同時に表示した場合の例、図５Ｂは、ストリーミング放送の一部にコマーシャルデータを重畳した例である。また、図５Ｃは、ニュースサイトに挿入されるバナー広告に適用した例である。この場合であっても、広告主は放送番組内容及びニュース内容等から宣伝効果を考えて広告を依頼することが可能となる。なお、バナー広告を挿入する場合には、宣伝効果の観点から入れ換えの周期は長めに（例えば、朝、昼、晩といった具合）設定することが好ましい。
なお、本発明は前記実施の形態に限定されるものではない。すなわち、上述した実施の形態では、各番組に重畳してコマーシャルを挿入するものであるが、番組区間と番組区間との間にコマーシャルを挿入する通常のコマーシャル挿入方法であってもよい。
また、通信・放送網７０として、ケーブルテレビや双方向通信網等の双方向通信が可能なものを例示したが、テレビジョン放送等の一方向通信とし、視聴者から広告主への注文は電話やファックス等の他の手段を用いるようにしてもよい。
さらに、コマーシャルデータは予め放送システム６０に記憶させるようにしているが、広告主が決まった時点で広告主サーバ４０〜４２から放送システム６０に送信するようにしてもよい。
また、ドラマのような連続番組において予め全広告料が定められており、既に広告主との契約が完了している場合でも該方法を適用可能である。すなわち、広告主は既に契約している全広告料の中から、各回または各スロットに対して割り当てる広告料を提示し、これにより入札が行われ、落札者が定められる。
さらにまた、入札対象の番組毎に、別に定める基準に従い予め広告に関する入札を行う広告主が選定されるようにしてもよい。すなわち、番組によっては広告主が数者に限定される場合もあるが、他方、該システム利用可能な広告主であれば自由に参加できる場合もある。また、入札可能な広告主が選定された際に、一定の広告料を納め、その広告料に応じた別に定める基準の範囲内での広告が放映されるような方法も採り得る。
この他、本発明の要旨を逸脱しない範囲で種々変形実施可能であるのは勿論である。
産業上の利用可能性
本発明は、放送事業者やインターネット事業者等において広告料金を適正に定める上で有用な情報提示システムの技術分野に有効である。
【図面の簡単な説明】
図１は本発明の第１の実施形態に係る情報提示システムの構成を示す図。
図２は同情報提示システムの動作の例を示す流れ図。
図３Ａ，図３Ｂは同情報提示システムによるタイミングチャートを示す説明図。
図４Ａ，図４Ｂは同情報提示システムによる表示例を示す説明図。
図５Ａ，図５Ｂ，図５Ｃは同情報提示システムによる表示例を示す説明図。
【図１】
2002059811.tif 000003
【図２】
2002059811.tif 000004
【図３Ａ】
2002059811.tif 000005
【図３Ｂ】
2002059811.tif 000006
【図４Ａ】
2002059811.tif 000007
【図４Ｂ】
2002059811.tif 000008
【図５Ａ】
2002059811.tif 000009
【図５Ｂ】
2002059811.tif 000010
【図５Ｃ】
2002059811.tif 000011
【国際調査報告】
2002059811.tif 000012
2002059811.tif 000013